(57)【特許請求の範囲】
【請求項１】
相互に引き寄せ締着自在に配置した一対の挟持金具によって折板屋根のハゼ部を底板の幅方向中間位置で挟持して該ハゼ部上に跨設配置した天板に支持して折板屋根上に屋根設置物を設置するに用いるハゼ掴み金具であって、上記一対のうちの一方の挟持金具の天板に他方の挟持金具を跳ね上げ回動自在に連結して、上記ハゼ部に先置きした一方の挟持金具に対して他方の挟持金具を回動挟持自在としてなり、
上記一方の挟持金具を、上記底板と、該底板から起立した起立板と該起立板から突出した天板を備えて断面Ｃ字状とし、他方の挟持金具を底板と該底板から起立した起立板を備えた断面Ｌ字状とし、上記他方の挟持金具の跳ね上げ回動自在の連結を、一方の挟持金具の天板の突出方向端部と他方の挟持金具の起立板上端に支軸と支軸長手方向両側の軸受を配置するとともに少なくとも支軸長手方向片側の軸受を長孔とすることによって他方の挟持金具の起立板上端を天板面方向にスライド自在として行ってなることを特徴とするハゼ掴み金具。
【請求項２】
上記他方の挟持金具の起立板上端に、上記一方の挟持金具の天板に対接し、上記相互の引寄せ締着によって、起立板上端を該天板の端部に対接した状態で該他方の挟持金具を回動する回動ガイドを配置してなることを特徴とする請求項１に記載のハゼ掴み金具。
【請求項３】
上記回動ガイドを、他方の挟持金具の起立板上端の長手方向両端部に該上端から下降傾斜した傾斜ガイドによるものとしてなることを特徴とする請求項２に記載のハゼ掴み金具。
【請求項４】
上記他方の挟持金具を、上記底板と起立板に加えて、該起立板から突出した部分天板を備えた断面Ｃ字状とし、上記他方の挟持金具の起立板上端に代えて、該部分天板先端を用いてなることを特徴とする請求項１から３のいずれか一項に記載のハゼ掴み金具。
【請求項５】
上記一対の挟持金具の引寄せ締着を、その各起立板を引寄せ締着するように起立板間に配置したＵボルト又は一対のボルトによって行なってなることを特徴とする請求項１から４のいずれか一項に記載のハゼ掴み金具。
【発明の詳細な説明】
【技術分野】
【０００１】
本発明は、折板屋根（折版屋根といってもよい）に、太陽電池モジュール、花壇等の屋根設置物を設置するに用いるハゼ掴み金具に関する。
【背景技術】
【０００２】
この種のハゼ掴み金具として、本発明者は、相互に引き寄せ締着自在に配置した一対の挟持金具によって折板屋根のハゼ部を底板の幅方向中間位置で挟持して該ハゼ部上に跨設配置した天板に支持して折板屋根上に屋根設置物を設置するように用いるものを提案済みであり、これによれば、例えば、上記一対の挟持金具を、底板、側板及び天板を備えた同一形状のボックス状一体に鋳造形成し、天板下面に配置した接続プレートによって突合せ配置した一対の挟持金具を接続するとともに上記一対の挟持金具の引寄せ締着をＵボルト又は一対のボルトを用いて行なって、天板端部下位に位置する挟持突片によって折板屋根のハゼ部を挟持するようにし、上記接続プレートから上向きの固定用ボルトを金具本体上方に突出し、該上向きの固定用ボルトによって上記天板に支持することによって屋根設置物を設置するものとされている。
【先行技術文献】
【特許文献】
【０００３】
【特許文献１】特願２０１０−２７３２２９
【発明の概要】
【発明が解決しようとする課題】
【０００４】
この場合、構造を比較的簡易なものとして折板屋根に対して確実に設置することができるハゼ掴み金具とすることができるが、一対の挟持金具は、ハゼ部の挟持前に接続プレートによって突き合せ配置するまで分離２部材のものとされるから、一般に、ハゼ部の挟持は、作業者が挟持金具を両手で支え持ちして所定の位置に据え置き配置するようにハゼ部にセットし、その後に、Ｕボルト又はボルトを用いた引き寄せ締着を行う必要を生じる。
【０００５】
然るに、ハゼ掴み金具の一対の挟持金具を分離２部材とすることなくそれ自体を一体化した単一部材とすることができれば、ハゼ部の挟持作業、即ち、ハゼ掴み金具の折板屋根への設置作業を更に容易化して、その作業効率を可及的に向上することが可能となる。
【０００６】
本発明はかかる事情に鑑みてなされたもので、その解決課題とするところは、上記ハゼ掴み金具の一対の挟持金具を一体化して単一部材とするとともに強固且つ確実なハゼ部の挟持をなし得るようにしたハゼ掴み金具を提供するにある。
【課題を解決するための手段】
【０００７】
上記課題に沿って鋭意検討した結果、ハゼ掴み金具の一対の挟持金具が、ハゼ部を挟持した設置状態で断面ロ字状の形状をなす点に着目し、該断面ロ字状の形状を、一方の挟持金具の天板部位、即ち断面ロ字状の形状における上辺部において、他方の挟持金具を跳ね上げ回動自在に連結することによって、該一対の挟持金具を一体化し得ること、該一体化によってハゼ掴み金具の折板屋根への設置に際して、一対の挟持金具の据え置き設置を片手で容易になし得ること、ハゼ部の挟持は、一方の挟持金具を先置きして他方の挟持金具を回動すれば、ハゼ部と一対の挟持金具の相対位置関係を定めて挟持金具によるハゼ部の挟持を可能とし得ることの知見を得て、本発明を行うに至ったもので、即ち、請求項１に記載の発明を、相互に引き寄せ締着自在に配置した一対の挟持金具によって折板屋根のハゼ部を底板の幅方向中間位置で挟持して該ハゼ部上に跨設配置した天板に支持して折板屋根上に屋根設置物を設置するに用いるハゼ掴み金具であって、上記一対のうちの一方の挟持金具の天板に他方の挟持金具を跳ね上げ回動自在に連結して、上記ハゼ部に先置きした一方の挟持金具に対して他方の挟持金具を回動挟持自在としてなることを特徴とするハゼ掴み金具としたものである。
【０００８】
また、請求項１に記載の発明は、上記に加えて、上記一対の挟持金具を可及的に簡易にしてハゼ掴みに適した形態のものとするとともに一方の挟持金具に対する他方の挟持金具の回動連結を、現場において異なることの多い折板屋根のハゼ部の厚さの如何を問わずに常にハゼ部の挟持を簡易且つ確実になし得るものとするように、これを、上記一方の挟持金具を、上記底板と、該底板から起立した起立板と該起立板から突出した天板を備えて断面Ｃ字状とし、他方の挟持金具を底板と該底板から起立した起立板を備えた断面Ｌ字状とし、上記他方の挟持金具の跳ね上げ回動自在の連結を、一方の挟持金具の天板の突出方向端部と他方の挟持金具の起立板上端に支軸と支軸長手方向両側の軸受を配置するとともに少なくとも支軸長手方向片側の軸受を長孔とすることによって他方の挟持金具の起立板上端を天板面方向にスライド自在として行ってなることを特徴とするハゼ掴み金具としたものである。
【０００９】
請求項２に記載の発明は、同じく上記に加えて、現場によって異なることの多いハゼ部の厚さ幅が厚いとき、上記他方の挟持金具を天板面方向にスライド回動すると、挟持金具相互の引寄せ締着時に、他方の挟持金具の底板がハゼ部の厚さ幅に応じて定位置より外側に蹴り出される結果、該他方の挟持金具が一方の挟持金具の天板と無関係にフリーの状態のまま、その起立板が上端前のめりの転び状となって、その上端が天板側にスライドする結果、該他方の挟持金具は、その回動中心をなす支点を得られないことになり、従って、締着力を加えても、該他方の挟持金具は揺動するも、引寄せ締着の締着力が作用しないことによって引寄せ締着不良を招くに至るところ、該他方の挟持金具の起立板のスライド回動を、常に上記一方の挟持金具の天板に対接した状態で行うように回動ガイドを配置することによって、回動ガイドの天板との対接部位を他方の挟持金具の回動中心をなす支点として、ハゼ部の厚さ幅の如何に拘わらず、該他方の挟持金具の常に安定且つ確実な引寄せ締着をなし得るものとするように、これを、上記他方の挟持金具の起立板上端に、上記一方の挟持金具の天板に対接し、上記相互の引寄せ締着によって、起立板上端を該天板の端部に対接した状態で該他方の挟持金具を回動する回動ガイドを配置してなることを特徴とする請求項１に記載のハゼ掴み金具としたものである。
【００１０】
請求項３に記載の発明は、同じく上記に加えて、上記回動ガイドを、他方の挟持金具の相対的位置を定めて、引寄せ締着時のその確実な回動を行うに適したものとするように、これを、上記回動ガイドを、他方の挟持金具の起立板上端の長手方向両端部に該上端から下降傾斜した傾斜ガイドによるものとしてなることを特徴とする請求項２に記載のハゼ掴み金具としたものである。
【００１１】
請求項４に記載の発明は、同じく上記に加えて、一方の挟持金具に対する基本的な関係を維持しつつ他方の挟持金具の形態を、上記断面Ｌ字状のものに代えて、断面Ｃ字状として上記と同様なものとするように、これを、上記他方の挟持金具を、上記底板と起立板に加えて、該起立板から突出した部分天板を備えた断面Ｃ字状とし、上記他方の挟持金具の起立板上端に代えて、該部分天板先端を用いてなることを特徴とする請求項１から３のいずれか一項に記載のハゼ掴み金具としたものである。
【００１２】
請求項５に記載の発明は、同じく上記に加えて、一対の挟持金具の引き寄せ締着を安定且つ確実になし得るものとするように、これを、上記一対の挟持金具の引寄せ締着を、その各起立板を引寄せ締着するように起立板間に配置したＵボルト又は一対のボルトによって行なってなることを特徴とする請求項１から４のいずれか一項に記載のハゼ掴み金具としたものである。
【００１３】
本発明は、これらをそれぞれ発明の要旨として上記課題解決の手段としたものである。
【発明の効果】
【００１４】
本発明は以上のとおりに構成したから、請求項１に記載の発明は、ハゼ掴み金具の一対の挟持金具におけるハゼ部を挟持した設置状態の断面ロ字状の形状を、一方の挟持金具の天板部位、即ち断面ロ字状の形状における上辺部において、他方の挟持金具を跳ね上げ回動自在に連結することによって、該一対の挟持金具を一体化し、ハゼ掴み金具の折板屋根への設置に際して、一対の挟持金具の据え置き設置を片手で容易になし得るようにし、ハゼ部の挟持を、一方の挟持金具を先置きして他方の挟持金具を回動して、ハゼ部と一対の挟持金具の相対位置関係を定めて挟持金具によるハゼ部の挟持を可能とすることによって、ハゼ掴み金具の一対の挟持金具を一体化して単一部材とするとともに強固且つ確実なハゼ部の挟持をなし得るようにしたハゼ掴み金具を提供することができる。
【００１５】
また、請求項１に記載の発明は、上記に加えて、上記一対の挟持金具を可及的に簡易にしてハゼ掴みに適した形態のものとするとともに一方の挟持金具に対する他方の挟持金具の回動連結を、現場において異なることの多い折板屋根のハゼ部の厚さの如何を問わずに常にハゼ部の挟持を簡易且つ確実になし得るものとすることができる。
【００１６】
請求項２に記載の発明は、同じく上記に加えて、ハゼ部の厚さ幅が厚いときに生じることある他方の挟持金具の引寄せ締着不良を解消して、該他方の挟持金具の起立板のスライド回動を、常に上記一方の挟持金具の天板に対接した状態で行うように回動ガイドを配置することによって、回動ガイドの天板との対接部位を他方の挟持金具の回動中心をなす支点として、ハゼ部の厚さ幅の如何に拘わらず、該他方の挟持金具の常に安定且つ確実な引寄せ締着をなし得るものとすることができる。
【００１７】
請求項３に記載の発明は、同じく上記に加えて、上記回動ガイドを、他方の挟持金具の
相対的位置を定めて、引寄せ締着時のその確実な回動を行うに適したものとすることがで
きる。
【００１８】
請求項４に記載の発明は、同じく上記に加えて、一方の挟持金具に対する基本的な関係を維持しつつ他方の挟持金具の形態を、上記断面Ｌ字状のものに代えて、断面Ｃ字状として上記と同様なものとすることができる。
【００１９】
請求項５に記載の発明は、同じく上記に加えて、一対の挟持金具の引き寄せ締着を安定
且つ確実になし得るものとすることができる。
【図面の簡単な説明】
【００２０】
【図１】ハゼ掴み金具の斜視図である。
【図２】ハゼ掴み金具の左側面図である。
【図３】ハゼ掴み金具の正面図である。
【図４】ハゼ掴み金具と折板屋根の関係を示す斜視図である。
【図５】ハゼ掴み金具の挟持金具回動状態を示す正面図である。
【図６】ハゼ掴み金具のハゼ部挟持状態を示す縦断面図である。
【図７】ハゼ掴み金具と屋根設置物の関係を示す縦断面図である。
【図８】他の例のハゼ掴み金具の斜視図である。
【図９】ハゼ部の厚さ幅によって生じる状態を示す正面図である。
【発明を実施するための形態】
【００２１】
以下図面の例に従って本発明を更に具体的に説明すれば、Ａはハゼ掴み金具であり、該ハゼ掴み金具Ａは、相互に引き寄せ締着自在に配置した一対の挟持金具１、２によって折板屋根Ｂのハゼ部Ｂ１を底板１１、２１の幅方向中間位置で挟持して該ハゼ部Ｂ１上に跨設配置した天板１３に支持して折板屋根Ｂ上に屋根設置物を設置するに用いるものとしてあり、このとき、該ハゼ掴み金具Ａは、その上記一対のうちの一方の挟持金具１の天板１３に他方の挟持金具２を跳ね上げ回動自在に連結して、上記ハゼ部Ｂ１に先置きした一方の挟持金具１に対して他方の挟持金具２を回動挟持自在としたものとしてある。
【００２２】
本例にあって該ハゼ掴み金具Ａは、一方及び他方を一対とする挟持金具１、２と、該一対の挟持金具１、２の引寄せ締着を行うに用いるＵボルト又は一対のボルト、本例にあってはＵボルト３と、上記一方の挟持金具１の天板１３に配置した、上記屋根設置物を設置するに用いる上向きに突出配置した固定用ボルト４を備えたものとしてあり、上記挟持金具１、２は、これらをそれぞれプレス成形によって形成した鋼製のものとしてあり、例えば、本例にあって正面図における横幅（天板短辺）を６ｃｍ程度、奥行（天板長辺）を７ｃｍ程度、高さを５ｃｍ弱とした平面矩形、正面ロ字状（下面開口のＣ字状といってもよい）のフレーム形状をなすものとしてある。
【００２３】
本例にあって上記一方の挟持金具１は、これを、上記底板１１と、該底板１１から起立した起立板１２と該起立板１２から突出した天板１３を備えて断面Ｃ字状とし、他方の挟持金具２は、これを底板２１と該底板２１から起立した起立板２２を備えた断面Ｌ字状とし、上記他方の挟持金具２の跳ね上げ回動自在の連結を、一方の挟持金具１の天板１３の突出方向端部と他方の挟持金具２の起立板２２上端に支軸  と支軸長手方向両側の軸受  を配置するとともに少なくとも支軸長手方向片側の軸受  を長孔とすることによって他方の挟持金具２の起立板２２上端を天板１３面方向にスライド自在として行ったものとしてある。このとき、本例のハゼ掴み金具Ａは、その上記他方の挟持金具２の起立板２２上端に、上記一方の挟持金具１の天板１３に対接し、上記相互の引寄せ締着によって、起立板２２上端を該天板１３の端部に対接した状態で該他方の挟持金具２を回動する回動ガイド２３を配置したものとしてあり、該回動ガイド２３は、これを、他方の挟持金具２の起立板２２上端の長手方向両端部に該上端から下降傾斜した傾斜ガイドによるものとしてある。
【００２４】
本例にあって、上記一方及び他方の挟持金具１、２の底板１１、２１は、先端を該底板１１、２１から屈曲して上方に、例えば数ｍｍ程度立ち上げ且つ上記ハゼ部Ｂ１との対面部に、例えばクロス形状のローレットを配置して、ハゼ部Ｂ１の滑りのない挟持を可及的確実になし得るようにしてある。このとき、各底板１１、２１は、起立板１２、２２側から数度、本例にあっては５度程度の勾配を付して、上記ハゼ部Ｂ１の挟持状態で起立板１２、２２側が折板屋根Ｂに対して線接触するようにして、折板屋根Ｂに凹凸等がある場合に生じる面接触の場合の設置不良を解消して、ハゼ掴み金具Ａの確実な設置をなし得るようにしてある。
【００２５】
起立板１１、２１はそれぞれ上記ハゼ掴み金具Ａの高さを有する同高のものとするとともに上記Ｕボルト３のボルト軸を挿通する一対の透孔１２１、２２１を幅方向に並べて透設してあり、このとき、本例の透孔１２１、２２１は、例えば一方の挟持金具１側でボルト軸に合せて円形孔とし、他方の挟持金具２側で、Ｕボルト３のボルト軸を上下に揺動可能として、該他方の挟持金具２の跳ね上げ回動を可能とするように上下に長孔をなすものとしてあり、本例にあって上記円形孔とした透孔１２１は、ボルト軸の軸径８ｍｍと同等乃至やや径大の１ｃｍ程度、長孔とした透孔２２１は、幅を該円形孔の透孔と等しく１ｃｍ程度、長さをその２倍の２ｃｍ程度としてある。
【００２６】
本例の天板１３は、他方の挟持金具２に配置することなく、一方の挟持金具１に配置してあり、該一方の挟持金具１に配置した天板１３は、その中央位置、即ち、天板１３の対角線交点位置に透孔を配置し、該透孔に上記固定用ボルト４のボルト軸を挿通して該固定用ボルト４を上下動自在に起立してあり、このとき天板１３下面にボルト頭４１を配置するとともに天板１３上でそのボルト軸に、該ボルト軸を挿通する、上記透孔より径大の、例えば軟質系樹脂を用いた円形パッキン４２を配置し、該固定用ボルト４の天板１３からの突出長さを規制し、また、その抜け止めを行うようにしてある。
【００２７】
一方と他方の挟持金具１、２を一対とするハゼ掴み金具Ａは、上記一方の天板１３に他方を跳ね上げ回動自在に連結してあり、このとき、跳ね上げ回動自在の連結を、該固定用ボルト４位置より天板１３の突出方向端部側、本例にあっては天板１３の突出方向端部とし、該連結は、これを、上記一方の挟持金具１の天板１３の突出方向端部と他方の挟持金具２の起立板２２上端に配置した支軸と軸受によって、軸受に支軸を挿通してヒンジ５を形成することによって行ったものとしてある。本例にあって、一方の挟持金具１における天板１３の上記突出方向端部の下面に、例えば端部中央位置に１ヶ所、他方の挟持金具２における起立板２２の上端内側に、支軸長手方向両端、即ち、ハゼ掴み金具の奥行方向両側２ヶ所にそれぞれ軸受５１を配置し、これら軸受５１を、例えばリベットとした支軸５２によって軸支して、その上記跳ね上げ回動を自在としてある。このとき、支軸長手方向両端の軸受、即ち、他方の挟持金具２に配置した軸受の双方又は一方、本例にあっては支軸長手方向片側の軸受を長孔、即ち、起立板上端位置から天板の面方向に軸孔を長くした長孔とするとともに他方の軸受を上記支軸の径に応じた円形孔とし、該円形孔の軸受位置を、上記長孔の奥行方向端部位置に合せた天板側に変位した位置としてあり、これによって、該円形孔の軸受位置を基準に、長孔の軸受によって支軸をスライド自在として、その上記跳ね上げ回動をなし得るようにしてある。本例にあって、上記長孔とした軸受５１は、支軸５２の径５ｍｍに対して、これと同等乃至やや大の高さ、本例にあっては５〜６ｍｍの高さを有するものとし、長さをその２倍の１ｃｍ程度としてある。
【００２８】
本例の上記回動ガイド２３は、他方の挟持金具２における起立板２２の長手方向上端の両端部、即ち、ハゼ掴み金具Ａの奥行方向両端部に該起立板２２の上端から一方の挟持金具１の天板１３下面に向けて潜り込むように所定角度、例えば４５度の傾斜角度で下降傾斜した、幅を１ｃｍ以下、例えば０．５ｃｍ、長さを１〜２ｃｍ、例えば１．５ｃｍ程度としたものとしてあり、これによって該回動ガイド２３は、一方及び他方の挟持金具１、２の引寄せ締着に際して、該他方の挟持金具２の回動を、上記一方の挟持金具１の天板１３の端部に対接した状態で行うように、該天板１３端部との対接部位を、該他方の挟持金具２の回動中心をなす回動支点とするようにしてある。
【００２９】
以上の構成に係る一体形成のハゼ掴み金具Ａは、例えば、Ｕボルト３に締着ナット３１を螺装して、一対の挟持金具１、２を上記断面ロ字状とする出荷形態をとるものとするから、屋根設置物の設置現場では、締着ナット３１を緩めて、他方の挟持金具２における起立板２２の長孔によってＵボルト３の揺動を許容し、図４に示すように、該他方の挟持金具２を跳ね上げ状に回動して、一対の挟持金具１、２の底板１１、２１の挟持片１１２、２１２間に折板屋根Ｂのハゼ部Ｂ１を受け入れて、上記Ｕボルト３に締着ナット３１を締着して該ハゼ部Ｂ１の挟持を行って、その折板屋根Ｂへの設置を行うようにすればよい。
【００３０】
このとき、他方の挟持金具２を跳ね上げ回動した状態で、一方の挟持金具１の底板１１を折板屋根Ｂに載置するように先置きし、他方の挟持金具２を復帰方向に回動して上記締着ナット３１を締着すれば、図  に示すように、ハゼ部Ｂ１の挟持を行うことができ、折板屋根Ｂに対する先置きのセットは、これを片手でできるから、セット後に他の片手で締着ナット３１の締着を行うことができ、その作業の効率を高度に確保できる。
【００３１】
ハゼ部Ｂ１を挟持して折板屋根Ｂに設置したハゼ掴み金具Ａを用いた屋根設置物の固定は、図７に示すように、上記一方の挟持金具１の天板１３に配置した上向きの固定用ボルト４を用いて、該天板１３上に、例えば、上下を一対とする取付金具７を配置し、該取付金具７を介して、折板屋根Ｂに屋根設置物として、例えば太陽電池モジュール８を設置するように用いるものとしてある。本例にあって取付金具７は、上下位一対にして固定用ボルト４に固定用ナット４３を螺装して屋根設置物、本例にあっては隣接する太陽電池モジュール８の端部を挟持してその連結固定を行うものとしてあり、本例の取付金具７は、天板１３と同幅にして上向き一対の起立片を有する天板載置用の下位金具７１と、屋根設置物、本例にあっては太陽電池モジュール８の端部を押圧保持する上位金具７２を備え、下位金具７１の中央に配置したボルト透孔に固定用ボルト４のボルト軸を挿通して、該下位金具７１を天板１３上に、本例にあっては上記円形パッキン４２を介して載置し、その上向き一対の起立片に端面を突き当て状にして上記太陽電池モジュール８の端部を該下位金具７１上に載置する一方、上位金具７２の同じく中央に配置したボルト透孔に固定用ボルト４のボルト軸を挿通して、その両側の押圧片を該太陽電池モジュール８の端部上に載置し、固定用ボルト４に固定用ナット４３を締着して、天板１３下面のボルト頭４１と該固定用ナット４３によって、天板１３、これら上下位金具７１、７２を一体的に挟持するように固定するものとしてある。
【００３２】
図８は、ハゼ掴み金具Ａの他の例を示すもので、該ハゼ掴み金具Ａは、上記例のものと比較して、上記回動ガイド２３の配置を省略するも、その余の構成を上記例と同様とした例である。従って、そのハゼ部Ｂ１の挟持、屋根設置物８の設置は、上記と同様であるところ、この場合、上記回動ガイド２３の配置を省略したことによって、例えば、折板屋根Ｂのハゼ部Ｂ１の厚さ幅が比較的薄いものに用いるに適当であるが、ハゼ部Ｂ１の厚さ幅が厚いとき、場合によって一方の挟持金具１との間で、引寄せ締着の不良を招くことがあるから、この点に留意することが好ましい。
【００３３】
即ち、折板屋根Ｂにおけるハゼ部Ｂ１の厚さ幅は必ずしも薄いとは限らず、現場によっては相当程度、例えば１ｃｍ程度の厚さを呈するものも見られる。これは、折板屋根Ｂのハゼ部Ｂ１は、工場生産ではなく、屋根上の人手作業によって鋼板にハゼ折りを施すことによって、これを形成するから、ハゼ部Ｂ１の長手方向にハゼ折りの状態が異なることがある。例えば、ハゼ部Ｂ１の長手方向端部は薄く仕上がるも、長手方向中間位置ではハゼ折りが不充分でハゼ部Ｂ１に膨らみが生じることもあり、その結果、ハゼ部Ｂ１の厚さ幅が区々となって、厚さ幅の厚い部位が生じていることがある。
【００３４】
このように、ハゼ部Ｂ１の厚さ幅が、例えば１ｃｍ程度と厚いときにおける、上記回動ガイド２３の有無によるハゼ部Ｂ１の挟持について作用の相違を示すと、図９に示すように、回動ガイドを備えないものにあって、ハゼ部Ｂ１の挟持を行おうとすると、ハゼ部Ｂ１の厚さ幅によって、他方の挟持金具２の底板２１がハゼ部Ｂ１の挟持の定位置より外側に蹴り出され、その起立板２２が上端前のめりの転び状となるとともに起立板２２の上端が一方の挟持金具１の天板１３と無関係にフリーの状態のまま軸受５１の長孔長さ分だけ天板１３側にスライドする結果、該他方の挟持金具２は、その回動中心をなす支点を得られないことになり、従って、締着力を加えても、該他方の挟持金具２は揺動するも、引寄せ締着の締着力が作用しないことによって引寄せ締着不良を招くに至る。ハゼ部Ｂ１が薄いときは、このような現象が生じないから問題はないが、ハゼ部Ｂ１が厚いときは、例えば、挟持部分のハゼ部Ｂ１を薄くするように、該ハゼ部Ｂ１の現場補修を行えば、同様に問題はないが、現場補修を一般作業者が行うのは困難を伴なう上、煩雑であるから、一般に、このような厚さ幅の厚い折板屋根Ｂの現場においては、該図８に示すハゼ掴み金具Ａは、必ずしも適当ではないことになる。
【００３５】
これに対して上記図１乃至図７に示した上記回動ガイド２３を配置したハゼ掴み金具Ａにあっては、ハゼ部Ｂ１の厚さ幅が薄いときはもとより、厚いときでも、他方の挟持金具２に配置した該回動ガイド２３は、引寄せ締着時に、これを、一方の挟持金具１の天板１３の端部に対接した状態で回動するようにしたことによって、他方の挟持金具２の底板２１が挟持の定位置に達せずに転び状となっても、その天板１３に対接した回動ガイド２３を常に回動中心をなす回動支点とすることができ、従って、該他方の挟持金具２の引寄せ締着を行えば、その起立板２２に該引寄せ締着の締着力が確実に作用する結果、該他方の挟持金具２は、その天板１３に対接した部位を回動中心として転び状の状態から回動し、底板２１がハゼ部Ｂ１に対接した状態で、一方の挟持金具１に対してその締着を行うことができる。
【００３６】
図中６は底板１１、２１と起立板１２、２２、起立板１２、２２と天板１３間に配置した補強突起、１４は、天板１３の下面にボルト頭４１を挟んで対向して一対突出配置して、屋根設置物を設置したとき固定用ボルト４のボルト頭４１の回転を防止してボルトの弛みを防止するボルト回り止め、３１はＵボルト３の締着ナット、４３は固定用ボルト４の固定ナットを示す。
【００３７】
図示した例は以上のとおりとしたが、上記他方の挟持金具を、上記底板と起立板に加えて、該起立板から突出した部分天板を備えた断面Ｃ字状とし、上記他方の挟持金具の起立板上端に代えて、該部分天板先端を用いたものとすること、このとき、該部分天板は、一方の挟持金具の天板を幾分短寸化して、その分を分担するように短寸のものとし、上記回動ガイドを設けるとき該部分天板の突出方向先端からこれを同様に配置するようにすること、上記スライド自在とした跳ね上げ回動自在の連結を、ヒンジの軸を一方の挟持金具又は他方の挟持金具に配置した軸固定部に固定した固定軸とし、他方の挟持金具又は一方の挟持金具に配置した長孔の軸受によって該固定軸を軸支して行い、また、一方の挟持金具及び他方の挟持金具にそれぞれ長孔の軸受を配置し、該長孔の軸受に揺動自在に両端に抜け止めを有する独立した連結軸を配置することによって行うようにすること等を含めて、本発明の実施に当って、ハゼ掴み金具、屋根設置物、一方の挟持金具、他方の挟持金具、跳ね上げ回動自在の連結、天板、必要に応じて用いる底板、起立板、回動ガイド、固定用ボルト、支軸、軸受、Ｕボルト又は一対のボルト等の各具体的形状、構造、材質、寸法、数、用途、これらの関係、これらに対する付加等は、上記発明の要旨に反しない限り様々な形態のものとすることができる。
【符号の説明】
【００３８】
Ａ  ハゼ掴み金具
Ｂ  折板屋根
Ｂ１  ハゼ部
１  一方の挟持金具
１１  底板
１１２  挟持片
１２  起立板
１２１  透孔
１３  天板
１４  ボルト回り止め
２    他方の挟持金具
２１  底板
２１２  挟持片
２２  起立板
２２１  透孔
２３  回動ガイド
３  Ｕボルト
３１  締着ナット
４  固定用ボルト
４１  ボルト頭
４２  円形パッキン
４３  固定用ナット
５  ヒンジ
５１  軸受
５２  軸
６  補強突起
７  取付金具
７１  下位金具
７２  上位金具
８  太陽電池モジュール
【図１】
0005923812.tif 000002
【図２】
0005923812.tif 000003
【図３】
0005923812.tif 000004
【図４】
0005923812.tif 000005
【図５】
0005923812.tif 000006
【図６】
0005923812.tif 000007
【図７】
0005923812.tif 000008
【図８】
0005923812.tif 000009
【図９】
0005923812.tif 000010